(57)【要約】      （修正有）【課題】振動を受けても一対の挟持片による挟持が緩くなるのを防止できる果実類の容器を提供する。【解決手段】茎ｓｔを保持しながらイチゴＳを収容する収容室Ｒを有する容器１であって、各々が弾性体から構成され、茎ｓｔを境に隣接して配置される一対の挟持片２３，２３と、一方の面が収容室Ｒに対向するとともに、他方の面が一対の挟持片２３に対向する受け座１７と、受け座１７の一方の面側に配置されるクッション３０と、を備える。一対の挟持片２３，２３は、受け座１７に接することで、受け座１７に向けた第１の向きへの撓みは規制されるが、受け座１７から離れる第２の向きへの撓みは許容される。クッション３０は、収容室に収容される果実が接触すると、果実に対して第１の向きに反力Ｆを与える。【選択図】図２
2014097807.tif 000002
【特許請求の範囲】
【請求項１】
茎を保持しながら前記茎が繋がる果実を収容する収容室を有する容器であって、
各々が弾性体から構成され、前記茎を境に隣接して配置される一対の挟持片と、
一方の面が前記収容室に対向するとともに、他方の面が一対の前記挟持片に対向する受け座と、
前記受け座の前記一方の面側に配置されるクッションと、を備え、
一対の前記挟持片は、前記受け座に接することで、前記受け座に向けた第１の向きへの撓みは規制されるが、前記受け座から離れる第２の向きへの撓みは許容され、
前記クッションは、前記収容室に収容される前記果実が接触すると、前記果実に対して第１の向きに反力を与える、
ことを特徴とする容器。
【請求項２】
前記収容室は、
前記受け座と、前記受け座の周囲を取り囲む筒状の側壁と、によって形成される、請求項１に記載の容器。
【請求項３】
請求項１又は請求項２に記載の容器の使用方法であって、
前記収容室の開口が上向きになるように前記容器を配置し、
前記茎を下向きにして前記果実を前記収容室に収容する、か、
または、
前記収容室の開口が下向きになるように前記容器を配置し、
前記茎を上向きにして前記果実を前記収容室に収容する、
ことを特徴とする容器の使用方法。
【発明の詳細な説明】
【技術分野】
【０００１】
本発明は、イチゴ、トマト等の茎を有する野菜・果物を、茎を保持しながら収容する容器に関するものである。
【背景技術】
【０００２】
果物、例えばイチゴやさくらんぼ等の果実はわずかな衝撃にも弱く傷み易い。したがって、イチゴを積み重ねて容器に収容すると、イチゴが容器と接触し、あるいはイチゴ同士が接触することにより、イチゴの傷みが早くなる。そこで、イチゴを搬送し、あるいは保管する際の保形力及び保護力を高めてイチゴの傷みを防止するとともに、鮮度を維持するのに好適で、さらに店頭に陳列した際にも見栄え良くしイチゴの商品価値を高めることができる容器が種々提案されている（特許文献１〜特許文献４）。しかしながら、特許文献１〜特許文献４を含め、これまでに提案された容器は、イチゴ同士が接触する。したがって、傷みは軽減されているものの、接触による傷みの発生を避けることはできないという課題があった。
【０００３】
この課題に対して本出願人は、先に特許文献５にて、以下の植物の保持部材を提案している。この保持部材１００は、図７に示されるように、例えばイチゴＳの茎ｓｔを保持して吊り下げるものであり、隣接して配置され、各々が弾性体から構成される一対の挟持片１０１，１０１で茎ｓｔを挟持する。また、保持部材１００は、イチゴＳが吊り下げられる側を下側とすると、一対の挟持片１０１，１０１の下側に支持板１０３を設置することで、一対の挟持片１０１が、上側への撓みは許容されるが、下側への撓みが支持板１０３により規制される。
この保持部材１００は、茎ｓｔを保持してイチゴＳを吊り下げて挟持するので、間隔をあけて保持部材１００を設ければ、イチゴＳ同士が接触するのを回避できる。また、支持板１０３を設けることで、茎ｓｔの径にばらつきがあっても、確実に茎ｓｔを保持できる。
【先行技術文献】
【特許文献】
【０００４】
【特許文献１】特開平８−２８２７５７号公報
【特許文献２】特開平１１−２２２２８２号公報
【特許文献３】特開２００４−３１４９８２号公報
【特許文献４】特開２００５−１５３９３４号公報
【特許文献５】特開２０１０−４７３０７号公報
【特許文献６】特開２００８−２８５２２８号公報
【発明の概要】
【発明が解決しようとする課題】
【０００５】
特許文献５で提案した保持部材で保持されたイチゴは産地から消費地まで搬送されるが、その際、保持部材及びイチゴともに振動を受けるので、挟持が緩くなり、極端な場合には茎が挟持部分から外れるおそれもある。
特許文献６には、２つの基材を重ねて二重構造にした苺用包装容器が開示されているが、２つの基材はともにＰＥＴ又はプラスチックからなる同じ素材で構成されているため、振動に対して有効な解決策に到っていない。
本発明は、このような課題に基づいてなされたもので、振動を受けても一対の挟持片による挟持が緩くなるのを防止できる果実類の容器を提供することを目的とする。
【課題を解決するための手段】
【０００６】
かかる目的のもとなされた本発明は、茎を保持しながら茎が繋がる果実を収容する収容室を有する容器であって、各々が弾性体から構成され、茎を境に隣接して配置される一対の挟持片と、一方の面が収容室に対向するとともに、他方の面が一対の挟持片に対向する受け座と、受け座の一方の面側に配置されるクッションと、を備え、以下の特徴を有している。
本発明における一対の挟持片は、受け座に接することで、受け座に向けた第１の向きへの撓みは規制されるが、受け座から離れる第２の向きへの撓みは許容される。
また本発明におけるクッションは、収容室に収容される果実が接触すると、果実に対して第１の向きに反力を与える。
【０００７】
本発明におけるクッションは、果実に対して第１の向きに反力を与えるが、この反力の向きは、挟持片に撓みが許容される第２の向きと、逆の向きになる。
ここで、本発明による容器が振動を受けると、挟持片は撓みが許容されている第２の向きへの撓みが振動に伴って生じる。この際、茎も振動するが、特に茎が第２の向きに変位すると、茎を挟持する力が緩くなってしまう。ところが、本発明は、第２の向きと逆の向き（第１の向き）に果実に対して反力を与え、この反力は茎にも伝わり、茎を第１の向きに引っ張る。したがって、本発明によると、振動を受けても、挟持片の第２の向きへの撓みが抑制されるとともに、茎が第２の向きに変位するのが抑制されることにより、茎の挟持が緩くなるのを防止、または、軽減できる。
【０００８】
本発明の容器において、収容室は、受け座と受け座から立ち上がる筒状の側壁とによって取り囲まれる領域に形成することが好ましい。
果実の振動による変位が側壁によって規制できるので、振動を受けたときに果実が暴れるのを防止できる。
【０００９】
本発明の容器を使用して果実を収容するのに、果実の向きは問わない。クッションが、果実に対して反力を与える第１の向きと、挟持片に撓みが許容される第２の向きと、が逆の向きという関係は、果実の向きに関わらず成立するからである。
したがって、本発明による容器の使用方法としては、収容室の開口が上向きになるように容器を配置し、茎を下向きにして果実を収容室に収容することもできるし、収容室の開口が下向きになるように容器を配置し、茎を上向きにして果実を収容室に収容することもできる。
【発明の効果】
【００１０】
本発明の容器によれば、クッションが果実に対して第１の向きに反力を与えることで、振動を受けても、挟持片の第２の向きへの撓みが抑制されるとともに、茎が第２の向きに変位するのが抑制されることにより、茎の挟持が緩くなるのを防止、または、軽減できる。
したがって、本発明の容器に収容された果実は、安定して保持しながら、搬送することができる。
【図面の簡単な説明】
【００１１】
【図１】本実施形態の容器にイチゴが収容し、保持された様子を示す図である。
【図２】図１の分解斜視図である。
【図３】図１の容器のスリットに茎が挿入される過程を示す図である。
【図４】図１の容器（容器本体）を上下反転させた状態を示す図である。
【図５】図１の容器を複数配置して使用する例を示す図である。
【図６】図１の容器に用いられる保持具の変形例を示す図である。
【図７】特許文献１に開示される保持部材を示す図である。
【発明を実施するための形態】
【００１２】
以下、添付図面に示す実施形態に基づいてこの発明を詳細に説明する。
本実施形態はイチゴＳを保持した状態で搬送に供することのできる容器１に関するものであり、図１及び図２に示されるように、本実施形態にかかる容器１は、カップ状の容器本体１０と、容器本体１０の受け座１７の裏側に配置されてイチゴＳの茎ｓｔを挟持する保持具２０と、受け座１７とイチゴＳの間に配置されるクッション３０と、から構成される。
【００１３】
［容器の構成］
容器本体１０は、矩形状の台座１１と、台座１１から立ち上る外形がテーパ状をなす外筒１３と、外筒１３の先端縁からその内側に向けて垂れ下がる円筒面状の内筒１５と、内筒１５の先端縁からその内側に向けて延びる円形状の受け座１７と、外筒１３から受け座１７の中心にかけて径方向に連なるスリット１９と、を備えている。容器本体１０は、種々の方法で作製できるが、例えばＰＥＴ（ポリエチレンテレフタレート）、ポリカーボネート等の比較的剛性の高い樹脂を射出成形して一体の成形品として作製することができる。なお、容器本体１０は、少なくても受け座１７の部分が保持具２０よりも十分に剛性が高く作製されていればよい。また、容器本体１０は、樹脂に限らず、金属材料、例えばステンレス鋼、さらに金属と樹脂との複合材料等から構成することもできる。なお、図１の上下方向が鉛直方向に沿っているものとする。
【００１４】
台座１１は、必要な場所に容器本体１０を安定して置くことができるように、外筒１３の下端縁よりも周囲に張り出して形成されており、容器本体１０は、通常、台座１１を下にして置かれ、収容室Ｒの開口が上向きになる。
外筒１３は、内筒１５及び受け座１７を形成する基礎となるのに加えて、内筒１５とともに径方向に二重構造をなすことで、容器本体１０の剛性向上に寄与する。ただし、外筒１３と内筒１５を一体にして一重の円筒状の側壁にすることもできる。
内筒１５は、受け座１７とともに、イチゴＳを収容する収容室Ｒを形成する。収容室Ｒに収容されたイチゴＳは、内筒１５によってイチゴＳは水平方向への動きが規制される。イチゴＳは、収容室Ｒに茎ｓｔを下向きにして収容される。収容室Ｒは、ここではイチゴＳの一部のみを収容する例を示しているが、イチゴＳの全体を収容するように外筒１３、内筒１５などを構成することもできる。
受け座１７は、台座１１から外筒１３の先端までの高さの半分程度の位置に形成され、イチゴＳを下方から支える。受け座１７は、ここでは平坦な例を示しているが、イチゴＳの形状に合わせて窪んだ形状にすることもできる。内筒１５も同様である。なお、受け座１７のイチゴＳが収容される側を「表（おもて）」と定義する。
スリット１９は、イチゴＳを収容する際に、茎ｓｔの部分を通すために形成される。茎ｓｔは、外筒１３の側面に開口する入口１９ａの側から挿入され、受け座１７の中心に位置する終点１９ｂに向けて移動する。スリット１９の幅は、茎ｓｔの移動が無理なく行なえるように設定される。
【００１５】
次に、保持具２０は、シリコンゴムからなる円板状の部材であり、外周の入口２１ａから中心の終点２１ｂにかけて径方向に切り込み２１が設けられている。切り込み２１は、保持具２０の表裏を貫通して形成されている。切り込み２１には、終点２１ｂに応力集中を避けるための貫通孔２２が形成されている。保持具２０は、切り込み２１を挟む周方向の両側の部分を、各々が独立して撓む（変形）ことができる一対の挟持片２３として用いる。つまり、茎ｓｔを切り込み２１の入口２１ａから終点２１ｂに向けて押込むことにより、一対の挟持片２３により茎ｓｔを保持することができる。茎ｓｔを押込むと、一対の挟持片２３は撓むことができる。
保持具２０は、容器本体１０の受け座１７の裏面に配置される。このとき、保持具２０は受け座１７に対して、容器本体１０のスリット１９と保持具２０の切り込み２１の位置が一致するように配置される。
保持具２０は、接着剤、両面粘着テープなどにより、当該裏面に予め固定しておくことができるが、イチゴＳを収容すると茎ｓｔが挟持片２３を保持するので、格別な固定手段を用いることなく当該裏面に配置させることもできる。
【００１６】
保持具２０は、シリコンゴムに限らず、例えば発泡ウレタン、ネオプレーンゴム、発泡スチレンなどの材質から形成することができる。このような柔軟な材料で保持具２０を形成すれば、一対の挟持片２３で茎ｓｔを挟持しても茎ｓｔに傷をつけることがないので、イチゴＳの商品価値を下げずに済む。
切り込み２１は、この例では自由状態において一対の挟持片２３の間が隙間なく形成されているが、両者の間に隙間があるスリットの形態にすることもできる。切り込み２１の種々の形態については、後述する。
【００１７】
次に、クッション３０は、収容室Ｒにおいて、受け座１７とイチゴＳの間に配置され、イチゴＳが収容室Ｒの所定位置に収容されると、受け座１７の表側から離れる向き（第１の向き）の力をイチゴＳに加えることで、保持具２０により茎ｓｔを保持する力を補償する。
クッション３０は、以上の作用を発揮するために、可撓性のある材料で作製されることが必要である。つまり、クッション３０の上にイチゴＳが載せられると、イチゴＳにクッション３０から反力を与えることで、一対の挟持片２３が茎ｓｔを保持する力を補償するが、この反力を発生させるために、クッション３０を可撓性のある材料で作製する。可撓性のある材料でクッション３０を作製することで、クッション３０との接触に基づくイチゴＳの傷みを最小限に抑えることができる。
クッション３０を構成する材料としては、例えばスポンジ、ポリウレタン系その他の樹脂、発泡性樹脂から選択できる。これらの材料であっても、極端に薄い場合には、イチゴＳに反力を与えることができないので、クッション３０は、必要な反力が得られるように各種材質を考慮してその厚さが設定される。
【００１８】
クッション３０には、容器本体１０のスリット１９及び保持具２０の切り込み２１に対応してスリット３１が形成されている。イチゴＳを容器本体１０に収容する際に、イチゴＳの茎ｓｔはスリット１９及び切り込み２１と位置あわせされたスリット３１に挿入される。
【００１９】
クッション３０は、イチゴＳの形状に合わせてお椀型の形態をなしているが、十分な可撓性を備えていれば、偏平なクッション３０を用いることもできる。また、クッション３０は一体に形成されているが、クッション３０を複数に分割してもよい。また、中央部分が空隙となるリング状のクッションにすることもできる。つまり、傷みを最小限に抑えながら、イチゴＳに反力を与えることができる限り、クッション３０の形態は限定されない。ただし、イチゴＳに与える反力がイチゴＳの周方向において均等になることが、茎ｓｔを保持する力を補償する上で好ましいので、例えばクッション３０を分割する場合でも、周方向に均等に配置することが望まれる。
【００２０】
［イチゴの収容手順］
さて、容器１にイチゴＳを収容するには、まず、容器本体１０の受け座１７の表側であって収容室Ｒの内部にクッション３０を配置し、また、受け座１７の裏側に保持具２０を配置する。このとき、容器本体１０のスリット１９に、保持具２０の切り込み２１及びクッション３０のスリット３１の位置が合うように配慮する。
次に、イチゴＳを図１，図２に示すように、茎ｓｔの方を下にして、容器本体１０のスリット１９の入口１９ａから奥に向けて押し込む。この作業は人手で茎ｓｔ及び必要に応じてイチゴＳをつかみながら行なうことができるが、茎ｓｔを保持するロボットで行なうこともできる。ここで、保持具２０の挟持片２３は、上側に剛性の高い受け座１７が存在しているため、下向き（第２の向き）の撓みは許容されるが、受け座１７に向けた撓みは規制される。したがって、茎ｓｔを僅かに斜め下方に向けてスリット１９（切り込み２１及びスリット３１）に押し込んでいくと、図３（ａ）に示されるように、挟持片２３は切り込み２１に臨む端部を頂点として下向き（第２の向き）に撓む。したがって、茎ｓｔの太さにバラツキがあったとしても、切り込み２１の間隔が茎ｓｔに適合して切り込み２１の終点である貫通孔２２まで茎ｓｔをスムーズに押し込むことができる。
【００２１】
茎ｓｔの押込みは、イチゴＳがクッション３０の上に載ることを考慮して行なわれる。つまり、切り込み２１の終点２１ｂにある貫通孔２２に達するまで茎ｓｔを押し込んだときに、イチゴＳがクッション３０から必要な反力を受けるように押込む。
茎ｓｔを終点まで押込んだなら、茎ｓｔをつかむのを止める。そうすると、図３（ｂ）に示されるように、イチゴＳがクッション３０から反力Ｆを受けて茎ｓｔがわずかに持ち上げられるので、切り込み２１が左右方向に押し広げられる結果、一対の挟持片２３には水平方向に圧縮応力が生じ茎ｓｔを挟持することができる。
本実施形態の容器１は、容器本体１０（保持具２０，クッション３０）の側方からスリット１９（切り込み２１，スリット３１）に茎ｓｔだけを掴んで押込むことができるので、イチゴＳの実に触れずに済む利点がある。ただし、本発明がイチゴＳの実に触れることを排除するものではない。
【００２２】
なお、本発明は、茎ｓｔを水平方向に押し込むことを許容する。その場合、茎ｓｔが奥に行くに従い一対の挟持片２３から受ける負荷が増大し、つかんだ位置より茎ｓｔが斜め後方に遅れる。そうすると、茎ｓｔには軸方向への引っ張りが発生し、その結果、挟持片２３には下側への撓みが誘発され、自動的に押し込み負荷が軽減される。
また、図３（ｂ）において、挟持片２３が水平な位置まで復帰した例を示しているが、茎ｓｔの径によっては、挟持片２３が上側にわずかに撓んだ状態で茎ｓｔを挟持することもある。
なお、以上説明した通りであり、受け座１７は、裏面において、挟持片２３の一方に向けた（第２の向き）撓みを規制する機能に加えて、表面において、クッション３０を支持することでイチゴＳに反力Ｆを与える機能を有している。
【００２３】
以上のようにしてイチゴＳは、容器１に収容されると消費地に向けて出荷される。消費地までの搬送の過程で、イチゴＳは容器１とともに振動を受けると、挟持片２３が下向きに撓んで茎ｓｔの挟持が緩くなるおそれがある。挟持片２３は弾性力を有しているので、下向きに撓んだとしても元に復元することができるが、搬送時間が長くなり振動を繰り返し受けていると、完全に復元することは期待できない。こうして挟持が緩くなると、振動に伴ってイチゴＳは収容室Ｒの内部を暴れるようになり、内筒１５及び受け座１７に衝突しあるいは擦れることがイチゴＳの傷みの原因となる。
【００２４】
ところが、容器１によると、イチゴＳがクッション３０から反力Ｆを常に受けており、この反力Ｆは挟持片２３が振動により撓む下向き（第２の向き）と逆の上向き（第１の向き）である。したがって、振動を繰り返し受けても、挟持片２３の下向きの撓みが軽減されるので、挟持片２３に生じる圧縮応力が担保される。このようにして、容器１は、保持具２０により茎ｓｔを保持する力を補償し、内筒１５がイチゴＳの水平方向の動きを規制できるので、イチゴＳが暴れるのを抑制できる。しかも、クッション３０は可撓性を備えているので、イチゴＳが反力Ｆを受けても、イチゴＳの傷みを最小限に抑えることができる。
【００２５】
イチゴＳを容器１から外す際には、切り込み２１に押し込むときと同様に、茎ｓｔを下側に押し下げながら手前に引くとよい。茎ｓｔを押し下げると、挟持片２３が下側に撓み、挟持片２３で茎ｓｔを挟持する力が弱くなり、容器１からイチゴＳを外し易くなる。
【００２６】
［変形例］
本実施形態の容器１は、図４に示すように、容器本体１０を上下反転させても使用することができる。この場合、外筒１３と受け座１７で取り囲まれる空間が収容室Ｒとなるが、外筒１３の方が内筒１５に比べて外径が大きいので、台座１１を下に配置する上述した例よりも、収容室Ｒが大きくなる。
このように容器１によれば、１つの容器本体１０を上下反転させることで、サイズが異なるイチゴＳを無理なく収容することができる。
【００２７】
以上の説明では、１つのイチゴＳを収容する最小単位の容器１について説明したが、図５（ａ）に示すように、複数の容器１を繋げた形態の容器２として使用することもできる。そうすれば、複数のイチゴＳを同時にハンドリングすることができる。また、図５（ａ）は複数の容器１を一列に配列した例を示しているが、配列は任意であり、複数の容器１を格子状又は千鳥格子状に配列することもできる。なお、複数の容器１を配列する場合、隣接するイチゴＳと接触しない程度に隣接する容器１の間隔を狭くすれば、より多くのイチゴＳを搬送できることは言うまでもない。
【００２８】
また、以上では、イチゴＳを容器本体１０に載せる例について説明したが、図５（ｂ）に示すように、収容室Ｒの開口を下向きにし、茎ｓｔを上向きにしてイチゴＳを容器本体１０に吊下げることもできる。このようにイチゴＳを吊下げても、図３に基づいて説明したクッション３０の作用・効果が得られることは明らかである。イチゴＳがクッション３０から受ける反力Ｆと挟持片２３が振動により撓む向きとが逆向きであることには変わりがないからである。また、イチゴＳを吊下げると、イチゴＳの自重が下向き（第１の向き）に加わり、振動を受けたときに挟持片２３が上向き（第２の向き）に撓むのを抑制できるので、茎ｓｔの挟持が緩みにくい。
【００２９】
保持具２０は、切り込み２１の終点に円形の貫通孔２２を形成したが、切り込みの形態はこれに限らない。その例を図６に示すが、（ａ）のように貫通孔２２を設けることなく直線状の切り込み２１だけを形成する例、（ｂ）のように切り込み２１の終点に十字状の切り込み２５を形成する例、（ｃ）のように円形の貫通孔２２と十字状の切り込み２５の両方を形成する例、（ｄ）のように三角形の貫通孔２２と十字状の切り込み２５の両方を形成する例、など種々の形態にすることができる。また、切り込みの形態のほかに、保持具２０の外形を（ｅ）のように矩形にすることもできる。
本発明者らは、以上の形態の保持具２０を備える容器１にイチゴＳを実際に収容して、振動試験（周波数：３０Ｈｚ，加速度：４．５Ｇ）を行った。その結果、何れの保持具２０を用いても５分間経過後に挟持が外れることはなかった。図６（ａ）〜（ｄ）の中では、特に、切り込み２１の終点に十字状の切り込み２５を形成する（ｂ）及びに三角形の貫通孔２２と十字状の切り込み２５の両方を形成する（ｄ）の形態は挟持が外れ難く、特に（ｄ）の実施形態は、上記振動試験を３０分継続しても挟持が外れることはなかった。
また、図６では、十字状の切り込み２５、貫通孔２２を設ける位置を保持具２０の中心に設ける例を示しているが、切り込み２１の入口を基準として、中心よりも奥に設けることによって、一対の挟持片２３による挟持力を増加させることができる。
さらに、以上で説明した実施形態では、保持具２０の切り込み２１とクッション３０のスリット３１の向きを一致させた例を示したが、例えば、イチゴＳを挟持させた後に、保持具２０またはクッション３０を回転させることにより、切り込み２１とスリット３１の向きを９０〜１２０度程度の範囲で交差させることによって、茎ｓｔが挟持部分から移動し、あるいは脱落したりするのを防ぐのに有効である。
【００３０】
また、本実施形態ではイチゴを例にして説明したが、本発明の容器はイチゴ以外であっても茎と茎が繋がる実の部分を有する果物、野菜を保持できることは言うまでもない。
以上以外にも、挟持片が振動により撓む向きと逆向きの反力をクッションが与えるという、本発明の趣旨を逸脱しない限り、上記実施の形態で挙げた構成を取捨選択したり、他の構成に適宜変更することが可能である。
【符号の説明】
【００３１】
１，２  容器
１０    容器本体
１１    台座
１３    外筒
１５    内筒
１７    受け座
１９，３１  スリット
１９ａ，２１ａ  入口
１９ｂ，２１ｂ  終点
２０    保持具
２１    切り込み
２２    貫通孔
２３    挟持片
３０    クッション
Ｆ      反力
Ｒ      収容室
Ｓ      イチゴ
ｓｔ    茎
【図１】
2014097807.tif 000003
【図２】
2014097807.tif 000004
【図３】
2014097807.tif 000005
【図４】
2014097807.tif 000006
【図５】
2014097807.tif 000007
【図６】
2014097807.tif 000008
【図７】
2014097807.tif 000009